(57)【要約】【課題】架線工事がし易く、また鉄塔などの建設費を安くできる、曲げ性に方向性を有するより線を提供する。【解決手段】素線２内に補強線３が複合された複合素線１ａ　のより線４において、前記補強線３が断面非円形であり、前記複合素線１ａ　が、前記補強線３の断面形状を一方向に揃えてより合わされている。【効果】曲げ性に方向性を有するため、例えば曲げ易い方向に曲げることにより架線工事がし易くなり、曲げ難い方向を横方向に向けて架線することにより横振れが小さくなり鉄塔の建設費を安くできる。【選択図】　　　　図２
2004055175.tif 000002
【特許請求の範囲】
【請求項１】
素線内に補強線が複合された複合素線のより線において、前記補強線が断面非円形であり、前記複合素線が、前記補強線の断面形状を一方向に揃えてより合わされていることを特徴とする曲げ性に方向性を有するより線。
【請求項２】
素線内に補強線が偏心して複合された複合素線のより線において、前記複合素線が、前記補強線の偏心方向を一方向に揃えてより合わされていることを特徴とする曲げ性に方向性を有するより線。
【発明の詳細な説明】
【０００１】
【発明の属する技術分野】
本発明は、架線工事がし易くまた架線状態での横振れなどを抑制できる、曲げ性に方向性を有するより線に関する。
【０００２】
【従来の技術】
架空送電線や支持線などには、架線工事のし易さや振動吸収エネルギー特性などを考慮してより線が使用されている。このより線には、図９に示すようなアルミ素線２の中心に断面円形の鋼線３が複合された複合素線（アルミ被覆鋼線）１ｆ　のより線（アルミ被覆鋼より線）７が用いられることが多い。
【０００３】
【発明が解決しようとする課題】
しかし、前記アルミ被覆鋼より線は全アルミより線などに較べて曲げ難いため架線工事がしづらかった。
このようなことから、本発明者等は、アルミ被覆鋼より線の曲げ性について検討し、鋼線の断面形状を非円形とすることにより、前記より線は曲げ性に方向性がでることを見いだし、これを、例えば、曲げ易い方向に曲げることで架線工事がし易くなり、また曲げ難い方向を横方向に一致させて架線することにより架空線の横振れが抑制されることなどを知見し、さらに検討を進めて本発明を完成させるに至った。
本発明は、架線工事がし易く、また架線状態における横振れなどを抑制できる、曲げ性に方向性を有するより線の提供を目的とする。
【０００４】
【課題を解決するための手段】
請求項１記載発明は、素線内に補強線が複合された複合素線のより線において、前記補強線が断面非円形であり、前記複合素線が、前記補強線の断面形状を一方向に揃えてより合わされていることを特徴とする曲げ性に方向性を有するより線である。
【０００５】
請求項２記載発明は、素線内に補強線が偏心して複合された複合素線のより線において、前記複合素線が、前記補強線の偏心方向を一方向に揃えてより合わされていることを特徴とする曲げ性に方向性を有するより線である。
【０００６】
【発明の実施の形態】
以下に、本発明のより線を図を参照して具体的に説明する。
図１は、本発明のより線を構成する複合素線の１例を示す横断面図である。この複合素線１ａ　は素線２の中心に断面楕円形の補強線３が複合されたもので、補強線３の長軸方向には曲げ難く、短軸方向には曲げ易い構造となっている。
【０００７】
図２は、本発明のより線４の第１の実施形態を示す横断面図である。
このより線４は、図１に示した複合素線１ａ　の複数本を補強線３の偏心方向を一方向に揃えてより合わせたもので、このより線４は、図３（イ）に示すように、長さ方向のどの位置（ａ〜ｅ）においても、図３（ロ）に示すように、補強線３の断面形状が同じ方向に揃うようにより合わされている。
このより線４は、補強線３の長軸方向（図２参照）には曲げ難く、短軸方向には曲げ易い構造となっている。
【０００８】
図４は、本発明のより線４の第２の実施形態を示す横断面図である。
このより線４は、素線２の中心部に断面長方形の補強線３が複合された複合素線１ｂ　の複数本を、補強線３の断面形状が一方向に揃うようにより合わせたものである。このより線４は補強線３の短辺方向に曲げ易く、長辺方向に曲げ難い構造となっている。
【０００９】
図５は、本発明のより線４の第３の実施形態を示す横断面図である。
このより線４は、素線２に断面円形の補強線３が１本偏心して複合された複合素線１ｃ　の複数本を、補強線３の偏心方向を一方向に揃えてより合わせたものである。このより線４は、補強線３が偏心した側へは曲げ易く、その反対側へは曲げ難い構造となっている。
【００１０】
図６は、本発明のより線４の第４の実施形態を示す横断面図である。
このより線４は、素線２に２本の補強線３が中心点を外れて点対象に複合された複合素線１ｄ　の複数本を、補強線３の偏心方向を揃えてより合わせたものである。このより線４は補強線３の偏心方向には曲げ難く、それと直角な方向には曲げ易い構造となっている。
【００１１】
図７は、本発明のより線４の第５の実施形態を示す横断面図である。
このより線４は、図１で用いた複合素線１ａ　を、中心線とし、さらに、その周囲に補強線を複合しない素線１ｅ　と交互により合わせたもので、各複合素線１ａ　は補強線３の長軸方向を同じ方向に揃えてより合わされている。このより線４は補強線３の長軸方向には曲げ難く、短軸方向には曲げ易い構造となっている。
【００１２】
図８は、本発明のより線４の第６の実施形態を示す横断面図である。
この実施形態は、図４に示したより線４の周囲に異形素線５を撚り合わせたものである。このより線も、補強線３の短軸方向には曲げ易く、長辺方向には曲げ難い構造となっている。
【００１３】
本発明において、素線２および異形素線５にはアルミ線、銅線などの導電材料が主に使用される。補強線３には鋼線、インバー線などの高強度線が使用でき、その形状を非円形とする場合は、楕円形、長方形など曲げ方向により曲げ性が異なる任意の形状が適用できる。補強線３を偏心させて複合する場合は、その断面形状は円形に限らず任意である。
【００１４】
本発明において、前記複合素線は、複合押出しなどの常法により製造することができる。また、前記図３に示したように、より線の長さ方向のどの位置においても補強線３が同じ向きとなるより線、或いは補強線３の偏心方向が同じ方向となるより線は、プラネットタイプ撚線機を用いて製造することができる。
【００１５】
本発明において、より線を構成する各複合素線の曲げ易い方向は、多少変動していても良いが、その変動幅は３０度以下とするのが望ましい。
【００１６】
本発明のより線を架空線として使用する場合、曲げ難い方向を横方向に向けて架線することにより横振れが抑制され、これにより鉄塔の幅を狭くできる。
また曲げ難い方向を上下方向に向けて架線することにより架空線の弛度を小さくすることができ、これにより鉄塔の高さを低くできる。
このように、本発明のより線は、架線環境に応じて、より線の架線方向を選択することで鉄塔の設計幅が増え、鉄塔の建設費を安くすることができる。
【００１７】
【発明の効果】
以上に述べたように、本発明のより線は、曲げ性に方向性を有するため、曲げ易い方向に曲げることにより架線工事がし易くなる。また、例えば、曲げ難い方向を横方向に向けて架線することにより横振れを小さくでき、鉄塔の建設費を安くできる。依って、工業上顕著な効果を奏する。
【図面の簡単な説明】
【図１】本発明のより線を構成する複合素線の１実施形態を示す横断面図である。
【図２】本発明のより線の第１の実施形態を示す横断面図である。
【図３】（イ）は図２に示したより線の側面図、（ロ）は前記より線の長さ方向の各位置ａ〜ｅにおける横断面図である。
【図４】本発明のより線の第２の実施形態を示す横断面図である。
【図５】本発明のより線の第３の実施形態を示す横断面図である。
【図６】本発明のより線の第４の実施形態を示す横断面図である。
【図７】本発明のより線の第５の実施形態を示す横断面図である。
【図８】本発明のより線の第６の実施形態を示す横断面図である。
【図９】従来のより線の横断面図である。
【符号の説明】
１ａ　本発明で用いる複合素線
１ｂ　本発明で用いる複合素線
１ｃ　本発明で用いる複合素線
１ｄ　本発明で用いる複合素線
１ｅ　補強線を複合しない素線
２　素線（アルミ素線）
３　補強線（鋼線）
４　本発明のより線
５　異形素線
１ｆ　従来の複合素線
７　従来のより線
【図１】
2004055175.tif 000003
【図２】
2004055175.tif 000004
【図３】
2004055175.tif 000005
【図４】
2004055175.tif 000006
【図５】
2004055175.tif 000007
【図６】
2004055175.tif 000008
【図７】
2004055175.tif 000009
【図８】
2004055175.tif 000010
【図９】
2004055175.tif 000011